(57)【要約】      （修正有）【課題】簡単な構成でかつコインの収納取り出しを簡単に行えるコインケースを提供する。【解決手段】シリコンゴムで一体に形成された本体部１１にコイン２０を挿入する挿入スリット１２が形成され、格納されたコイン２０の両面２１、２２および挿入後における挿入スリット１２の位置を除くコインの周縁面を覆って収納するコインケース１０である。本体部１１は、挿入スリット１２から挿入されるコインの両面側位置にコイン２０の厚さと同じ寸法だけ離間して配置された第１被覆板部１３、第２被覆板部１４と、第１被覆板部１３および第２被覆板部１４を外周で連結し、挿入スリット１２を除く位置で２枚の被覆板部の外周縁を連結する周縁部１５と、第２被覆板部１４に延設され、穴部１７を開設した取付板部１６とを備える。【選択図】図１
0003181850.tif 000002
【実用新案登録請求の範囲】
【請求項１】
コインが収納される本体部に前記コインを挿入する挿入スリットが形成されており、前記本体部が前記挿入スリットから挿入された前記コインの両面および挿入後における前記挿入スリットの位置を除く前記コインの周縁面を覆って収納するコインケースであって、
前記本体部は、
前記挿入スリットから挿入される前記コインの両面側位置に、前記コインの厚さだけ離間して配置され、弾性を備える素材で形成された２枚の円板状の被覆板部と、
前記２枚の被覆板部と同じ素材で前記２枚の被覆板部と一体に形成され、前記挿入スリットを除く位置で前記２枚の被覆板部の外周縁を連結する周縁部と、
を備えることを特徴とするコインケース。
【請求項２】
前記２枚の被覆板部のうちの一方の被覆板部には、穴部が開設され、一方向に延設された取付板部を一体に形成したことを特徴とする請求項１に記載のコインケース。
【請求項３】
前記取付板部は、前記挿入スリット側に配置したことを特徴とする請求項２に記載のコインケース。
【請求項４】
前記２枚の被覆板部および前記周縁部を軟質ゴムで一体に形成したことを特徴とする請求項１から請求項３のいずれか一項に記載のコインケース。
【請求項５】
前記挿入スリットの内法は、挿入する前記コインの直径より小さい寸法であることを特徴とする請求項１から請求項４のいずれか一項に記載のコインケース。
【考案の詳細な説明】
【技術分野】
【０００１】
本考案は、コインを収納して携帯することができるコインケースに関する。
【背景技術】
【０００２】
従来、財布等を紛失した場合などの事態に備えて、常時携帯でき、１枚のコイン、例えば５００円硬貨を収納できるコインケースがある。このようなコインケースとして、特許文献１に記載のものが提案されている。このコインケースは、ベースプレートと、ベースプレートに設けられていて、ベースプレートとの間でコインの周縁部の一部を挟着するコイン挟着部と、ベースプレートおよびコイン挟着部に対して回動可能に取り付けられており、ベースプレートおよびコイン挟着部の間に位置させることにより、上記コインの外周部を囲繞するリング状のコイン囲繞部と、上記コイン囲繞部を上記ベースプレートとコイン挟着部との間に係止するロック部とを備えたものである。
【特許文献１】特開１０ー３３２２９号公報
【考案の開示】
【考案が解決しようとする課題】
【０００３】
しかし、従来のコインケースは複数の部材を組み立てて構成されるものであり、構造が複雑で製造にコストがかかるものであった。また、コインの収納のときには、コイン囲繞部をベースプレートから開け、コイン挟着部にコインを挿入した後、コイン囲繞部を閉めつつロック部でコイン囲繞部をコイン挟着部に固定する必要があり、その操作が煩雑である。そして、コインを取り出すに際しても、コイン囲繞部をコイン挟着部から開いてロック部解除する必要がある。
【０００４】
本考案は上述した課題に鑑みてなされたものであり、簡単な構成でかつコインの収納取り出しを簡単に行うことができるコインケースを提供することを目的とする。
【課題を解決するための手段】
【０００５】
前記課題を解決する請求項１に記載の考案は、コインが収納される本体部に前記コインを挿入する挿入スリットが形成されており、前記本体部が前記挿入スリットから挿入された前記コインの両面および挿入後における前記挿入スリットの位置を除く前記コインの周縁面を覆って収納するコインケースであって、前記本体部は、前記挿入スリットから挿入される前記コインの両面側位置に、前記コインの厚さだけ離間して配置され、弾性を備える素材で形成された２枚の円板状の被覆板部と、前記２枚の被覆板部と同じ素材で前記２枚の被覆板部と一体に形成され、前記挿入スリットを除く位置で前記２枚の被覆板部の外周縁を連結する周縁部と、を備えることを特徴とするコインケースである。
本考案によれば、コインケースは２枚の被覆板部と縁部とが弾性を有する素材で一体に形成されるので、その構成を簡単なものとできる。またコインをコインケースに収納するときには、コインを挿入スリットから挿入し、弾性体で一体に形成された２枚の被覆板部と縁部とで覆われた状態として容易に収納できる。
【０００６】
同じく請求項２に記載の考案は、請求項１に記載のコインケースにおいて、前記２枚の被覆板部のうちの一方の被覆板部には、穴部が開設され、一方向に延設された取付板部を一体に形成したことを特徴とする。
本考案によれば、取付板部の穴部に他物品への取り付け部材を通して配置でき、コインケースを他物品に容易に取り付けることができる。
【０００７】
同じく請求項３に記載の考案は、請求項２に記載のコインケースにおいて、前記取付板部は、前記挿入スリット側に配置したことを特徴とする。
本考案によれば、コインを本体に格納するとき、コインを取付板部に沿わせて移動させつつ挿入スリット内に挿入できるので、コインを容易に収納できる。また、コインケースを他の物品に取り付けたとき、挿入スリットが上側に向くので、コインの落下を確実に防止できる。
【０００８】
同じく請求項４に記載の考案は、請求項１から請求項３のいずれか一項に記載のコインケースにおいて、前記２枚の被覆板部および前記周縁部を軟質ゴムで一体に形成したことを特徴とする。
本考案によれば、挿入スリットをコイン挿入がやりやすい形状、寸法に容易に変形できるので、コインの挿入、取り外しを容易に行うことができる他、本体部の第１被覆板部および第２被覆板部がコインの表裏面に弾性的に密着してコインを確実に保持できる。
【０００９】
同じく請求項５に記載の考案は、請求項１から請求項４のいずれか一項に記載のコインケースにおいて、前記挿入スリットの内法は、挿入する前記コインの直径より小さい寸法であることを特徴とする。
本考案によれば、コインを前記挿入スリットの両側に位置する周縁部で確実に保持でき、挿入したコインが挿入スリットから落下するのを防止できる。
【考案の効果】
【００１０】
本考案に係るコインケースは２枚の被覆板部と縁部とが弾性を有する素材で一体に形成しているので、簡単な構成であり、またコインの収納、取り出しを挿入スリット部から部材の開閉動などの手順を踏むことなく簡単に行うことができる。
【図面の簡単な説明】
【００１１】
【図１】本考案の実施形態に係るコインケースを示す斜視図である。
【図２】同コインケースを示すものであり、（ａ）は平面図、（ｂ）は左側面図、（ｃ）はコインを記載した正面図、（ｄ）は（ａ）中のＡ−Ａ線に相当する断面図、（ｅ）は（ｂ）中のＢ−Ｂ線に相当する断面図である。
【図３】同コインケースの使用状態を示す斜視図である。
【考案を実施するための最良の形態】
【００１２】
本考案を実施するための形態に係るコインケースについて説明する。図１は本考案の実施形態に係るコインケースを示す斜視図、図２は同コインケースを示すものであり、（ａ）は平面図、（ｂ）は左側面図、（ｃ）はコインを併せて記載した正面図、（ｄ）は（ａ）中のＡ−Ａ線に相当する断面図、（ｅ）は（ｂ）中のＢ−Ｂ線に相当する断面図である。
【００１３】
実施形態に係るコインケース１０は、１枚のコイン、例えば５００円硬貨が挿入される挿入スリット１２が形成された本体部１１を備える。本体部１１は、第１被覆板部１３、第２被覆板部１４、周縁部１５および取付板部１６で構成される。挿入スリット１２から挿入された１枚のコイン２０は、一方面２１が第１被覆板部１３に、他方面２２が第２被覆板部１４に、周縁面２３が周縁部１５で覆われて収納される。
【００１４】
本体部１１は、第１被覆板部１３と、第２被覆板部１４と、周縁部１５と、取付板部１６とが、弾性を備える素材、例えばシリコンゴム、ネオプレンゴム等の合成ゴムで厚さＤ（例えば１．５ｍｍ）に一体で成形されている。ここで、コイン２０は、直径ｄ（５００円硬貨では２６．５ｍｍ）、厚さｔ（同じく２ｍｍ）を備える。
【００１５】
第１被覆板部１３は、挿入スリット１２から挿入され、収納されるコイン２０の一方面２１側に配置される円板状の部材である。第２被覆板部１４は、同じくコイン２０の他方面２２に側に配置される円板状の部材であり、取付板部１６が延設される。取付板部１６は、先細りで先端部に穴部１７が開設された部材である。取付板部１６の穴部１７には、他の物品に接続するための接続具３０（図３参照）を取り付けることができる。また、取付板部１６は、コイン２０を本体部１１内に格納するとき、コイン２０に接触して挿入スリット１２に案内する。
【００１６】
周縁部１５は、挿入スリット１２を開設した箇所以外で第１被覆板部１３および第２被覆板部１４の外周縁を連結する。
【００１７】
第１被覆板部１３と、第２被覆板部１４とは、コイン２０の直径ｄより、周縁面２３の厚さＤ（例えば１．５ｍｍ）の２倍だけ大きい直径Ｄｏ（例えば、２９．５ｍｍ）を備え、コイン２０の厚さｔと同程度の間隔Ｓ（例えば２ｍｍ）だけ離間して平行に配置される。また、本体部１１の内径Ｄｉは、コイン２０の外径ｄとほぼ同じ（約２６．５ｍｍ）か、やや大とする。さらに、挿入スリット１２の内法Ｗは、コイン２０を確実に本体部１１内に保持するため、コイン２０の直径ｄよりやや小さく（例えば２３ｍｍ）する。
【００１８】
このようなコインケース１０にコイン２０を保持させるには、取付板部１６に沿わせて挿入スリット１２からコイン２０を挿入する。このとき、挿入スリット１２の内法Ｗがコイン２０の直径ｄよりやや小さいので、コイン２０で挿入スリット１２を押し広げる。このため、コイン２０が挿入されると、挿入スリット１２の両端に臨む周縁部１５がコイン２０に被さって保持し、コイン２０が挿入スリット１２から落下するのを防止できる。
【００１９】
そして、挿入されたコイン２０は、一方面２１が第１被覆板部１３に接触し、他方面２２が第２被覆板部１４に接触し、周縁面２３が挿入スリット１２の部分を除いて周縁部１５に弾性的に接触する。このため、第１被覆板部１３、第２被覆板部１４、および周縁部１５の各寸法をコイン２０に適合するように適正に定めておく必要がある。
【００２０】
本体部１１がコイン２０に対して小さすぎると、コイン２０を本体部１１で保持できない。また、本体部１１がコイン２０に対して大きすぎると、コイン２０が本体部１１から容易に外れてしまう。本体部１１の大きさをコイン２０に対して適切に定めると、コイン２０をコインケース１０の挿入スリット１２に容易に挿入できてコインケース１０に収納でき、かつコイン２０は容易にコインケース１０から落下等しない状体で本体部１１に保持できる。
【００２１】
次に実施形態に係るコインケース１０の使用状態について説明する。図３は同コインケースの使用状態を示す斜視図である。このコインケース１０を使用するとき、取付板部１６の穴部１７にチェーン、紐等の接続具３０を通し、この接続具３０を、携帯電話、鞄などの携帯品に取り付けてぶら下げるとよい。このようにコインケース１０を物品にぶら下げたとき、挿入スリット１２が上側に配置されるので、コイン２０が挿入スリット１２から抜け出ることを確実に防止できる。また、この状態でコイン２０がコインケース１０で覆われた状態でとなるので、コインケース１０が他の物品に直接接触して他の物品を傷付けることがない。
【００２２】
以上説明したように、実施形態に係るコインケースによれば、コインケースの本体部は２枚の被覆板部と縁部とが弾性を有する素材で一体に形成されるので、その構成を簡単なものとできる。またコインをコインケースに収納するときには、コインを挿入スリットから挿入し、弾性体で一体に形成された２枚の被覆板部と縁部とで覆われた状態として容易に収納できる。また、コインをコインケースから取り出すときには、特別な操作をすることなく挿入スリットから取り出すことができる。また、コインは、コインケースに収納されたとき、コインは弾性体で覆われた状態でとなるので、コインが他の物品に直接接触して他の物品を傷付けることがない。さらに、コインを本体に格納するとき、コインを取付板部に沿わせて移動させつつ挿入スリット内に挿入できるので、コインを容易に収納できる。また、挿入したコインが挿入スリットから落下するのを防止できるとともに、コインが前記周縁部で確実に保持できる。
【符号の説明】
【００２３】
１０：コインケース
１１：本体部
１２：挿入スリット
１３：第１被覆板部
１４：第２被覆板部
１５：周縁部
１６：取付板部
１７：穴部
２０：コイン
２１：一方面
２２：他方面
２３：周縁面
３０：接続具
【図１】
0003181850.tif 000003
【図２】
0003181850.tif 000004
【図３】
0003181850.tif 000005